(57)【要約】【課題】  水に対するシール性能を向上させることができる止水材及びそれを用いた屋根板材の止水構造を提供する。【解決手段】  止水材２４を構成する止水材本体２７は、直線状に延びる直立部２５と、該直立部２５の上端部から両側方へ直交して延びる張出し部２６とにより断面略Ｔ字状に形成されている。張出し部２６の両端には二又に開いて延びる一対の止水突条２８が突設されている。前記直立部２５と、張出し部２６と、内側に位置する止水突条２８との間には止水材本体２７より反発弾性の小さい弾性材料で形成された一対の止水体３８が添設されている。止水材本体２７はエチレン−プロピレン−ジエン共重合ゴム（ＥＰＤＭ）で形成され、止水体３８はブチルゴム（ＢＲ）で形成されている。【選択図】      図１
2005146612.tif 000002
【特許請求の範囲】
【請求項１】
弾性材料により形成され、直線状に延びる直立部と、該直立部の端部から両側方へ直交して延びる張出し部とにより断面略Ｔ字状に形成された止水材本体を備え、前記直立部と張出し部との間には止水材本体より反発弾性の小さい弾性材料で形成された一対の止水体を設けたことを特徴とする止水材。
【請求項２】
前記止水材本体を形成する弾性材料はエチレン−プロピレン系ゴムであり、止水体を形成する弾性材料はブチル系ゴムであることを特徴とする請求項１に記載の止水材。
【請求項３】
前記張出し部の両端には二又に開いて延びる一対の止水突条を設け、内側に位置する止水突条が止水体を保持するように構成することを特徴とする請求項１又は請求項２に記載の止水材。
【請求項４】
建物の屋根の野地板上に複数の屋根板材を並べて敷設すると共に、屋根板材の端部を直立させるように折曲げて第１折曲げ部を形成し、その第１折曲げ部の先端を外方へ折曲げて第２折曲げ部を形成し、その第２折曲げ部の先端を更に内方へ傾斜させるように折曲げて第３折曲げ部を形成し、隣接して配置される屋根板材の第１折曲げ部を対向させた状態で、断面Ｕ字形をなすチャンネル状のクリップ本体とその開口端部から外方へ延びるクリップ部とよりなるアンカークリップを屋根板材の第１折曲げ部間に挟入し、アンカークリップのクリップ部を屋根板材の第２折曲げ部に重合すると共に、断面略Ω状の目地カバー内に請求項１から請求項３のいずれか１項に記載の止水材を収容して屋根板材の端部及びアンカークリップを包み込むように装着し、止水材の張出し部を目地カバーの内面に密着させ、止水体には屋根板材の第３折曲げ部が食い込むように構成したことを特徴とする屋根板材の止水構造。
【発明の詳細な説明】
【技術分野】
【０００１】
本発明は、例えば住宅の屋根に敷設される屋根板材の継ぎ目において、水の滲入を防止するために用いられる止水材及びそれを用いた屋根板材の止水構造に関するものである。
【背景技術】
【０００２】
この種の止水材としては、ゴム等の弾性材質で逆Ｕ字状に止水材本体を形成し、該止水材本体の内側対向位置に複数の止水弁を形成すると共に、外側両部には１乃至複数の通風溝を形成したものが知られている（特許文献１を参照）。そして、止水材をその開口部から屋根板材の端部に立ち上げられた立上げ部の突き合わせ部分に押し込むようにして装着する。このとき、止水材の複数の止水弁が屋根板材の立上げ部に摺接して止水機能を発揮するようになっている。
【特許文献１】特開平７−５４４４８号公報（第２頁及び第３頁）
【発明の開示】
【発明が解決しようとする課題】
【０００３】
ところが、従来の止水材は複数の止水弁が屋根板材の立上げ部に対し摺接して装着しやすいように先端ほど内奥部に向くように傾斜している。このため、止水材を屋根板材の立上げ部に装着した後に、止水材の開口端部から内部へ入った水は止水弁の先端と屋根板材の立上げ部との摺接部から内部へ入り込みやすい。止水材の内奥部へ入り込んだ水は、屋根板材の立上げ部の端部から屋根板材の内側へ浸透するおそれがあり、水に対するシール性能に劣るという問題があった。
【０００４】
本発明は、このような従来技術に存在する問題点に着目してなされたものである。その目的とするところは、水に対するシール性能を向上させることができる止水材及びそれを用いた屋根板材の止水構造を提供することにある。
【課題を解決するための手段】
【０００５】
上記の目的を達成するために、請求項１に記載の発明の止水材は、弾性材料により形成され、直線状に延びる直立部と、該直立部の端部から両側方へ直交して延びる張出し部とにより断面略Ｔ字状に形成された止水材本体を備え、前記直立部と張出し部との間には止水材本体より反発弾性の小さい弾性材料で形成された一対の止水体を設けたことを特徴とするものである。
【０００６】
請求項２に記載の発明の止水材は、請求項１に記載の発明において、前記止水材本体を形成する弾性材料はエチレン−プロピレン系ゴムであり、止水体を形成する弾性材料はブチル系ゴムであることを特徴とするものである。
【０００７】
請求項３に記載の発明の止水材は、請求項１又は請求項２に記載の発明において、前記張出し部の両端には二又に開いて延びる一対の止水突条を設け、内側に位置する止水突条が止水体を保持するように構成することを特徴とするものである。
【０００８】
請求項４に記載の発明の屋根板材の止水構造は、建物の屋根の野地板上に複数の屋根板材を並べて敷設すると共に、屋根板材の端部を直立させるように折曲げて第１折曲げ部を形成し、その第１折曲げ部の先端を外方へ折曲げて第２折曲げ部を形成し、その第２折曲げ部の先端を更に内方へ傾斜させるように折曲げて第３折曲げ部を形成し、隣接して配置される屋根板材の第１折曲げ部を対向させた状態で、断面Ｕ字形をなすチャンネル状のクリップ本体とその開口端部から外方へ延びるクリップ部とよりなるアンカークリップを屋根板材の第１折曲げ部間に挟入し、アンカークリップのクリップ部を屋根板材の第２折曲げ部に重合すると共に、断面略Ω状の目地カバー内に請求項１から請求項３のいずれか１項に記載の止水材を収容して屋根板材の端部及びアンカークリップを包み込むように装着し、止水材の張出し部を目地カバーの内面に密着させ、止水体には屋根板材の第３折曲げ部が食い込むように構成したことを特徴とするものである。
【発明の効果】
【０００９】
本発明によれば、次のような効果を発揮することができる。
請求項１に記載の発明の止水材によれば、例えば目地カバー内に収容され、屋根板材の端部の折曲げ部が対向して形成された目地部分に装着されたとき、止水材本体の張出し部が目地カバー内面に密着し、止水体に屋根板材の折曲げ部が食い込むことにより、水に対するシール性能を向上させることができる。
【００１０】
請求項２及び請求項３に記載の発明の止水材によれば、請求項１に係る発明の効果に加え、止水材本体又は止水体の材料の性質により、或いは一対の止水突条により、水に対するシール性能を一層向上させることができる。
【００１１】
請求項４に記載の発明の屋根板材の止水構造によれば、屋根板材の端部の連係部分において比較的簡単な構成で水に対するシール性能を向上させることができる。
【発明を実施するための最良の形態】
【００１２】
（第１実施形態）
以下、本発明の第１実施形態につき、図１〜図４を用いて詳細に説明する。
図４は住宅の屋根に敷設される屋根板材の継ぎ目における止水構造を一部破断して示す斜視図である。同図に示すように、屋根板１１は構造用合板１２上に断熱材としてのパーティクルボード１３が接合され、その上に野地板１４が接合された３層構造をなし、所定間隔をおいて配設された垂木１５に支持されている。この屋根板１１の上には図示しないルーフィングップ（油紙）を介して屋根板材１６が固定されている。
【００１３】
屋根板材１６は端部が直立するように折曲げられて第１折曲げ部１７となり、その第１折曲げ部１７の先端が外方斜め下へ延びるように折曲げられて第２折曲げ部１８となっている。該第２折曲げ部１８の先端は更に内方斜め上へ延びるように折曲げられて第３折曲げ部１９となっている。図３（ａ）に示すように、アンカークリップ２０は、断面Ｕ字形のチャンネル状をなすクリップ本体２１と、その開口端部から両外方斜め下へ傾斜して延びるクリップ部としての傾斜クリップ部２２とより構成されている。
【００１４】
そして、図３（ｂ）に示すように、隣接する２枚の屋根板材１６の第１折曲げ部１７を一定間隔をおいて対向させた状態で、アンカークリップ２０を第１折曲げ部１７間に挟入し、アンカークリップ２０の傾斜クリップ部２２を屋根板材１６の第２折曲げ部１８に重合させるようになっている。図３（ｃ）に示すように、その状態でアンカークリップ２０の底部に内面側から固定ねじ２３をねじ込み、アンカークリップ２０を屋根板１１及び垂木１５に固定するようになっており、この部分が目地部分になっている。
【００１５】
図１に示すように、止水材２４は弾性材料としてのＥＰＤＭ（エチレン−プロピレン−ジエン共重合ゴム）により形成され、上部ほど幅広の板状に延びる直立部２５と、該直立部２５の一端部（上端部）から両側方へ直交して延びる張出し部２６とにより断面略Ｔ字状に形成された止水材本体２７を備えている。この止水材本体２７は、軽量で、所定の剛性を維持でき、優れた耐熱性、耐候性を発揮させるために、ＥＰＤＭをはじめとするエチレン−プロピレン系ゴムによって形成されることが好ましい。エチレン−プロピレン系ゴムとしては、ＥＰＭ（エチレン−プロピレン共重合ゴム）等が挙げられる。
【００１６】
止水材本体２７の張出し部２６両端には断面逆Ｖ字状をなすように二又に開いて延びる一対の止水突条２８が突設されている。直立部２５と、張出し部２６と、内側に位置する止水突条２８との間には止水材本体２７より反発弾性の小さい弾性材料であるブチルゴム（ＩＩＲ、イソブチレン／イソプレン共重合ゴム）により形成された一対の止水体３８が保持されている。この止水体３８の下面は平坦に形成されている。止水体３８としては、反発弾性が小さく柔軟性があり、気体透過性が小さい点から、ブチルゴムをはじめとするブチル系ゴムで形成することが好ましい。ブチル系ゴムとしては、塩素化ブチルゴム、臭素化ブチルゴム等のハロゲン化ブチルゴム、未加硫ブチルゴム等が挙げられる。本実施形態の止水材２４は、止水材本体２７と、一対の止水体３８とで構成されている。
【００１７】
尚、止水体３８をブチル系ゴムのみで形成せず、樹脂発泡体の表面にブチル系ゴムシートを貼着したものを用いてもよい。このとき、ブチル系ゴムシートは下面側となる。目地カバー３１と発泡体とは接着してもしなくてもよい。
【００１８】
また、図１の二点鎖線で示すように、止水体３８の下面、直立部２５の下面及び内側に位置する両止水突条２８の内側面にわたって仮止めフィルム３９が貼着され、使用前に止水体３８が直立部２５の両面、張出し部２６の下面及び内側に位置する両止水突条２８の間から外れないようになっている。止水材２４の使用時には、この仮止めフィルム３９を簡単に剥がすことができるようになっている。
【００１９】
図３（ｃ）に示すように、目地カバー３１は下端に開口部を有し上部が断面略横長四角状の筒部３２と、その両下端部から斜め下方へ延びる一対の脚部３３とから断面略Ω状に形成されている。筒部３２と脚部３３との間は、最もくびれたくびれ部３４となると共に、筒部３２の下部と脚部３３とが幅方向に弾性変形するようになっている。筒部３２の上壁は水平に延び、両側壁は下方ほど拡幅されるように傾斜する目地カバー３１の内部には前記止水材２４が張出し部２６を上に、直立部２５を下にして収容されている。この場合、外側に位置する止水突条２８が目地カバー３１の内側面に押圧され、目地カバー３１の内側面に沿った形状に変形されている。前記屋根板材１６、アンカークリップ２０及び目地カバー３１は、ステンレス鋼、アルミニウムメッキ鋼鈑又は塩化ビニル樹脂被覆鋼鈑により、厚み０．４ｍｍに形成されている。
【００２０】
そして、図２及び図３（ｃ）に示すように、目地カバー３１内に上記の止水材２４を収容して屋根板材１６の端部及びそれらの端部間に挟入されたアンカークリップ２０を包み込むように装着されるようになっている。
【００２１】
次に、止水材２４を用いて屋根板材１６の止水構造を形成する方法及び作用について説明する。
図３（ａ）に示すように、隣接する屋根板材１６の第１折曲げ部１７の対向面間の間隔がアンカークリップ２０のクリップ本体２１外面間の間隔になるように設定して目地部分を形成し、その目地部分にアンカークリップ２０を斜めにしながら装着する。このとき、図３（ｂ）に示すように、アンカークリップ２０の傾斜クリップ部２２が屋根板材１６の第２折曲げ部１８に重合される。その状態でアンカークリップ２０の底部に内面側から固定ねじ２３をねじ込み、アンカークリップ２０を屋根板１１及び垂木１５に固定する。一方、目地カバー３１内には止水材２４が張出し部２６を上に、直立部２５を下にして収容される。このとき、止水材２４の張出し部２６上面が目地カバー３１の上壁内面に、外側に位置する各止水突条２８が目地カバー３１の側壁内面に密接して止水材２４が目地カバー３１内に保持される。
【００２２】
その後、図３（ｃ）に示すように、止水材２４が内包された目地カバー３１を屋根板材１６の目地部分に対して上方から装着する。すなわち、目地カバー３１の両脚部３３が屋根板材１６の両第３折曲げ部１９上に載ると、目地カバー３１の両脚部３３が両第３折曲げ部１９の傾斜に沿って拡げられる。目地カバー３１を屋根板材１６側へ更に押圧すると、図２に示すように、目地カバー３１のくびれ部３４が屋根板材１６の第２折曲げ部１８と第３折曲げ部１９との間の最も幅広な部分を乗り越え、両くびれ部３４の内面側が屋根板材１６の第１折曲げ部１７の外面に当接して目地カバー３１が屋根板材１６の端部に取付けられる。
【００２３】
このとき、内側に位置する止水突条２８は屋根板材１６の第３折曲げ部１９に当接して該第３折曲げ部１９を下方へ曲げると同時に、自らは先端部が第３折曲げ部１９に沿うべく外側へ曲がるように変形する。このため、止水突条２８は一方が目地カバー３１の側壁内面に密着し、他方が屋根板材１６の第３折曲げ部１９に密着し、目地カバー３１の側壁、屋根板材１６の第３折曲げ部１９及び止水突条２８によって密閉空間３５が形成される。従って、屋根板材１６と目地カバー３１との間から水が滲入したとしても、その水は前記密閉空間３５に収容され、そこから更に内部へ滲入することが規制される。
【００２４】
加えて、屋根板材１６の第３折曲げ部１９が止水体３８に当接し、更に止水体３８内に食い込む。このとき、止水体３８の下面は平坦に形成されていることから、第３折曲げ部１９は止水体３８に容易に食い込むことができる。従って、内側に位置する止水突条２８、第３折曲げ部１９及び止水体３８によって補助密閉空間３７が形成される。その結果、万一内側の止水突条２８と第３折曲げ部１９との間から水が補助密閉空間３７内に滲入しても、その水はそこから更に内側へ入り込むのが規制される。
【００２５】
また、止水体３８を形成するブチルゴムは密着性に優れていることから、止水体３８は直立部２５、張出し部２６及び止水突条２８と十分に密着し、剥れ落ちるのを防ぐことができる。しかも、止水体３８は気体透過性が小さいことから、補助密閉空間３７内の水が蒸発して水蒸気となっても止水体３８内を透過するのが規制される。更に、目地カバー３１の脚部３３と屋根板材１６の第１折曲げ部１７との間が通気部分となり、通気性を良好にすることによって特に夏季において目地カバー３１内の過熱が抑制される。従って、止水材２４の熱膨張による変形が抑えられる。
【００２６】
以上の実施形態によって発揮される効果について、以下に記載する。
・  本実施形態の止水材２４によれば、外側に位置する止水突条２８が目地カバー３１の内側面に密着すると共に、内側に位置する止水突条２８が屋根板材１６の第３折曲げ部１９に当接して密着する。このため、屋根板材１６と目地カバー３１との隙間から水が滲入したとしても、その水は断面逆Ｖ字状をなす止水突条２８によってそれ以上内方へ滲入することが規制される。従って、この止水材２４により水に対するシール性能を向上させることができる。
【００２７】
・  止水材２４には止水体３８が保持されており、その止水体３８に第３折曲げ部１９が食い込んで補助密閉空間３７が形成されるように構成されていることから、止水突条２８に加えて二重に止水効果を発揮することでき、水に対するシール性能を一層向上させることができる。
【００２８】
・  また、止水材本体２７を形成する弾性材料はエチレン−プロピレン系ゴムであり、止水体３８を形成する弾性材料はブチル系ゴムであることから、止水材本体２７は一定の剛性により形状を保持することができ、止水体３８は第３折曲げ部１９の食い込みによりシール性能の向上を図ることができる。
【００２９】
・  本実施形態の屋根板材１６の止水構造によれば、アンカークリップ２０と止水材２４が収容された目地カバー３１という簡単な構成で、それらを屋根板材１６の端部に順に装着することにより、水に対するシール性能を容易に向上させることができる。しかも、目地カバー３１は道具を用いることなく装着できることから、止水施工を短期間のうちに行うことができる。
【００３０】
・  目地カバー３１内には止水突条２８及び止水体３８を有する止水材２４を収容すればよいことから、複数の止水弁が設けられた従来の止水材に比べてその高さを左程高くする必要がなく、屋根の目地部分における外観を良好に維持することができる。
【００３１】
（第２実施形態）
以下、本発明の第２実施形態につき、図５及び図６を用いて説明する。尚、第２実施形態は主に第１実施形態と異なる部分について説明する。
【００３２】
図５に示すように、第２実施形態の止水材２４は第１実施形態の止水材２４において、内側に位置する止水突条２８が省略され、それら止水突条２８の基部が支持部４０となっている。この支持部４０は、一対の止水体３８の外側面を保持している。
【００３３】
さて、止水材２４が内包された目地カバー３１を屋根板材１６の端部に装着する場合には、図６に示すように、屋根板材１６の第３折曲げ部１９の先端部が止水体３８に食い込む。このため、止水突条２８、目地カバー３１の側壁、第３折曲げ部１９及び止水体３８によって密閉空間３５が形成される。従って、屋根板材１６と目地カバー３１との間から水が滲入したとしても、その水は前記密閉空間３５に収容され、そこから更に内部へ滲入することが規制される。
【００３４】
なお、前記両実施形態は、次のように変更して具体化することも可能である。
・  両実施形態において、止水突条２８を省略することも可能である。この場合、止水体３８が止水材本体２７に保持されなくなるおそれがあるため、接着剤による接着等の保持手段を施すことが望ましい。
【００３５】
・  第１実施形態において、止水突条２８の断面形状を逆Ｕ字状等に開くように形成することもできる。
・  両実施形態において、屋根板材１６の第２折曲げ部１８及びアンカークリップ２０のクリップ部の折曲げ角度を水平方向にしたり等適宜変更することも可能である。
【００３６】
・  両実施形態において、屋根板材１６、アンカークリップ２０及び目地カバー３１を亜鉛メッキ鋼鈑等で構成することも可能である。
・  両実施形態において、屋根を構成する建物としては、倉庫、工場、学校、レジャー施設等であってもよい。
【００３７】
更に、前記実施形態より把握できる技術的思想について以下に記載する。
・  前記止水体の開放面は略平坦に形成されていることを特徴とする請求項１から請求項３のいずれか一項に記載の止水材。このように構成した場合、例えば屋根板材の端部を止水体に容易に食い込ませることができる。
【００３８】
・  前記第２折曲げ部及びアンカークリップのクリップ部は、斜め下方へ延びるように折曲げられていることを特徴とする請求項４に記載の屋根板材の止水構造。このように構成した場合、目地カバーが屋根板材の端部から外れるのを抑制することができる。
【図面の簡単な説明】
【００３９】
【図１】第１実施形態における止水材を示す断面図。
【図２】第１実施形態における屋根板材のシール構造を拡大して示す断面図。
【図３】（ａ）〜（ｃ）は屋根板材のシール構造を形成する工程を分解して示す断面図。
【図４】屋根板材のシール構造を破断して示す部分斜視図。
【図５】第２実施形態における止水材を示す断面図。
【図６】第２実施形態における屋根板材のシール構造を拡大して示す断面図。
【符号の説明】
【００４０】
１４…野地板、１６…屋根板材、１７…第１折曲げ部、１８…第２折曲げ部、１９…第３折曲げ部、２０…アンカークリップ、２１…クリップ本体、２２…クリップ部としての傾斜クリップ部、２４…止水材、２５…直立部、２６…張出し部、２７…止水材本体、２８…止水突条、３１…目地カバー、３８…止水体。
【図１】
2005146612.tif 000003
【図２】
2005146612.tif 000004
【図３】
2005146612.tif 000005
【図４】
2005146612.tif 000006
【図５】
2005146612.tif 000007
【図６】
2005146612.tif 000008